(57)【特許請求の範囲】
【請求項１】
外観にスライド用ガイドが現れないようにした折り畳式洋傘に用いられる複数のパイプからなる多段式の伸縮自在なシャフトであって、複数のパイプを入れ子式にスライド自在に嵌挿し、複数のパイプの中、シャフトの最も内側のパイプを除いた各パイプの内径部に直線方向に延びるスリットを有するガイド部材を固定配置し、前記スリットにシャフトの長手方向に延びる互いに平行なガイド縁部を形成し、複数のパイプの中、シャフトの最も外側のパイプを除いた各パイプの後端部側に突起体を設け、各パイプの外側のパイプの内径部に固定配置したガイド部材のスリットにスライド自在に嵌合させ、外側と内側のパイプの相対回転を阻止するようにし、前記ガイド部材を細長い板状の部材により構成し、該板状の部材にその長手方向に沿って細長状のスリットを形成し、該スリットの互いに平行な縁部を前記突起体を案内するガイド面としたことを特徴とする折り畳み式洋傘用の伸縮自在シャフト。
【請求項２】
前記突起体を軸状に形成し、前記複数のパイプの中、シャフトの最も外側のパイプを除いた各パイプの後端部側に穴を設け、該穴に軸状の突起体をスライド自在に嵌合し、前記各パイプの後端部側の内径部にばね材を配置し、該ばね材の弾力によって前記突起体を前記穴から突出する方向に付勢したことを特徴とする請求項１に記載の折り畳み式洋傘用の伸縮自在シャフト。
【請求項３】
前記スリットの長手方向の先端側に閉塞部を設け、前記突起体の移動経路に位置させて外側のパイプに止め穴を設け、前記突起体が前記スリットの閉塞端側に移動したとき、突起体が前記止め穴に嵌入し、内側のパイプの外側のパイプに対する軸方向に沿った一方向の相対移動が解除可能にロックされるようにしたことを特徴とする請求項２に記載の折り畳み式洋傘用の伸縮自在シャフト。
【請求項４】
前記ガイド部材を構成する板状の部材が、該部材が取り付けられるパイプの内周面の曲率に合わせて幅方向にわん曲していることを特徴とする請求項１に記載の折り畳み式洋傘用の伸縮自在シャフト。
【発明の詳細な説明】
【技術分野】
【０００１】
本発明は、外観にスライド用ガイドが現れないようにした折り畳み式洋傘に用いられる伸縮自在な多段式のシャフトに関する。
【背景技術】
【０００２】
従来、外観にスライド用ガイドが現れないようにした折り畳み式洋傘に用いられる伸縮自在な多段式のシャフトとして、外側のパイプの各々の内径部に稜線を設け、内側のパイプの外周に周囲段差と溝を設けた構成のものが知られている（例えば特許文献１参照）。  また、複数のパイプを入れ子式にスライド自在に嵌挿し、シャフトの最も内側のパイプを除いた各パイプの内径部にその長手方向に沿ってほぼ全長にわたって凹溝を形成し、内側のパイプの後端部の外径部に凸条を設け、各パイプの凸条を外側のパイプの内径部の凹部に軸方向にスライド自在に嵌挿させ、外側と内側のパイプの相対回転を阻止するように構成したものが知られている（例えば特許文献２参照）。
【先行技術文献】
【特許文献】
【０００３】
【特許文献１】特開２００１−３５３０１２号公報
【特許文献２】特許４５１６７６３号公報
【発明の概要】
【発明が解決しようとする課題】
【０００４】
外側のパイプの内径部側に突起状の稜線を設け、内側のパイプの外周に周囲段差と溝を設ける構造は、製造に高精度が要求され、大量生産に適さないという問題点がある。
また、パイプの内側に凹溝を形成する構成は製造工程において高価な製造装置が必要となるため製造コストが高価になるとともに、大量生産に適さないという問題点がある。
本発明は、上記問題点を解決することを目的とする。
【課題を解決するための手段】
【０００５】
上記目的を達成するため、本発明は、外観にスライド用ガイドが現れないようにした折り畳式洋傘に用いられる複数のパイプからなる多段式の伸縮自在なシャフトであって、複数のパイプを入れ子式にスライド自在に嵌挿し、複数のパイプの中、シャフトの最も内側のパイプを除いた各パイプの内径部に直線方向に延びるスリットを有するガイド部材を固定配置し、前記スリットにシャフトの長手方向に延びる互いに平行なガイド縁部を形成し、複数のパイプの中、シャフトの最も外側のパイプを除いた各パイプの後端部側に突起体を設け、各パイプの外側のパイプの内径部に固定配置したガイド部材のスリットにスライド自在に嵌合させ、外側と内側のパイプの相対回転を阻止するようにし、前記ガイド部材を細長い板状の部材により構成し、該板状の部材にその長手方向に沿って細長状のスリットを形成し、該スリットの互いに平行な縁部を前記突起体を案内するガイド面としたことを特徴とする。
また本発明は、前記突起体を軸状に形成し、前記複数のパイプの中、シャフトの最も外側のパイプを除いた各パイプの後端部側に穴を設け、該穴に軸状の突起体をスライド自在に嵌合し、前記各パイプの後端部側の内径部にばね材を配置し、該ばね材の弾力によって前記突起体を前記穴から突出する方向に付勢したことを特徴とする。
また本発明は、前記スリットの長手方向の先端側に閉塞部を設け、前記突起体の移動経路に位置させて外側のパイプに止め穴を設け、前記突起体が前記スリットの閉塞端側に移動したとき、突起体が前記止め穴に嵌入し、内側のパイプの外側のパイプに対する軸方向に沿った一方向の相対移動が解除可能にロックされるようにしたことを特徴とする。
また本発明は、前記ガイド部材を構成する板状の部材が、該部材が取り付けられるパイプの内周面の曲率に合わせて幅方向にわん曲していることを特徴とするものである。
【発明の効果】
【０００６】
本発明は、パイプの内側に配置したガイド部材のスリットによりパイプの内側に簡単に凹溝を形成することができるため、大量生産に適し、製造コストの低減を実現することができる。
【図面の簡単な説明】
【０００７】
【図１】本発明に使用されるガイド部材の外観説明図である。
【図２】ガイド部材のＡ−Ａ線横断面説明図である。
【図３】本発明に係るシャフトに使用されるパイプの中の一つのパイプを示し、（Ａ）は正面図、（Ｂ）はパイプの内部構造を示す縦断面説明図、（Ｃ）はパイプの内部構造を示す縦断面説明図である。
【図４】本発明に係るシャフトに使用されるパイプの中の一つのパイプの内部構造を示すＢ−Ｂ線横断面説明図である。
【図５】シャフトの説明的正面図である。
【図６】シャフトの一部の断面説明図であり、（Ａ）は突起体がガイド部材に嵌合している状態を示し、（Ｂ）は突起体が止め穴に挿入した状態を示している。
【図７】シャフトの一部の横断面説明図である。
【図８】突起体の外観説明図である。
【発明を実施するための形態】
【０００８】
以下に本発明の実施の形態を添付した図面を参照して詳細に説明する。
図５は、折り畳み式洋傘用の伸縮自在シャフト２の正面説明図を示し、シャフト２は複数の互いに径が異なり且つほぼ同長のパイプを入れ子式にスライド自在に嵌合した多段式に構成されている。各パイプはステンレスにより構成され、一番太い第１パイプ４の内径部に、第２のパイプ６が軸方向にスライド自在に嵌合し、この第２パイプ６の内径部に最も細い第３のパイプ８が軸方向にスライド自在に嵌合している。
【０００９】
シャフト２には、折り畳み式洋傘を構成するための骨格構成要素（図示省略）やその他の部品がロクロ（図示省略）を介して取り付けられる。シャフト２は、手操作により最も縮小されたとき、第１パイプ４の内側の第２パイプ６の後端（図５中、右端）は、第１パイプ４の後端近傍に設けられたストッパー（図示省略）により係止され、第２パイプ６の内側の第３パイプ８の後端は、第２パイプ６の後端近傍に設けられたストッパー（図示省略）により係止される。これらのストッパー機構によりシャフト２の縮小最短長さが規定されている。
【００１０】
また、第１パイプ４の後端（根本）には洋傘の柄（図示省略）が取り付けられている。パイプ４，６の内径部には、図６及び図７に示すように、それぞれステンレス製のガイド部材１０，１２が固定配置されている。図１は、第１パイプ４の内径部に固定配置されるガイド部材１０を示している。第２パイプ６の内径部に固定配置されるガイド部材１２の構造は図１に示す第１パイプ用のガイド部材１０の構造と同一である。
【００１１】
ガイド部材１０，１２は、細長い板状のステンレス製の本体Ｈからなり、該本体Ｈの中央部に、その長手方向に沿ってスリット１４が形成されている。ガイド部材１０，１２の本体Ｈは、取り付けられるパイプ１４，１６の内周面に密着できるように、該パイプ４，６の曲率に合わせて幅方向にわん曲し、本体Ｈの、パイプ４，６の内周面に当接する側の側面の幅方向の曲率が対応するパイプ４，６の内周面の曲率と同一に設定されている。ガイド部材１０，１２の本体Ｈに形成されたスリット１４は、互いに平行なガイド縁部Ｇ１，Ｇ２を形成し、該スリット１４の後方は開放され、先端側は閉塞され、閉塞部１４ａが形成された構造となっている。
【００１２】
各ガイド部材１０，１２は、対応するパイプ４，６の内周面に長手方向を一致させて密着配置され、図３Ｂに示すように、各ガイド部材１０，１２は両端が折り曲げられて、対応するパイプ４，６の管壁端部に密着係合している。各ガイド部材１０，１２は、その両端の折り曲げによる係合により、対応するパイプ４，６の内径部に固定されている。各ガイド部材１０，１２の本体Ｈの板厚と、対応するパイプ４，６の管壁の厚さはほぼ同一に設定されている。
【００１３】
第２と第３のパイプ６，８の後端の近傍の管壁には、それぞれ穴１６，１８が設けられている。各穴１６，１８は、各パイプ６，８の管壁の、ガイド部材１０，１２取り付け部から円周方向にずれた位置に穿設されている。各パイプ６，８の後端の近傍の内径部には、Ｕ字状にわん曲された帯状の板ばねからなるばね材２０，２２が配置され、該ばね材２０，２２にそれぞれ突起体２４，２６が固定されている。突起体２４，２６は、図８に示すように先の丸い丸棒状の短軸体から成り、金属その他プラスチック材などの硬質材により構成されている。
【００１４】
ばね材２０，２２は、各パイプ６，８の後部に弾発力に抗して圧縮して挿入配置され、各突起体２４，２６がそれぞれ対応する穴１６，１８にスライド自在に挿入され、該穴１６，１８を通じて突起体２４，２６は、その上部がパイプ６，８の外周面から所定長さ突出している。穴１６，１８に挿入された突起体２４，２６は、パイプ６，８に対して垂直な方向へのスライド移動が可能であるとともに、穴１６，１８によってスライド可能方向に対して直角な方向即ちパイプ６，８に対して円周方向の移動が規制されている。
【００１５】
第２及び第３のパイプ６，８から突出する突起体２４，２６は、外側のパイプ４，６に固定配置されたガイド部材１０，１２のガイド縁部Ｇ１，Ｇ２間にスライド自在に嵌合し、且つ、各突起体２４，２６の先端が外側のパイプ４，６の内周面にスライド自在に弾接している。ガイド部材１０，１２のスリット１４の閉塞端１４ａは、係止部を構成し、シャフト２を伸長した際、外側のパイプ４，６のガイド部材１０，１２の係止部に、内側のパイプ６，８から突出する突起体４，６が衝突して係止部に係止されるとともに、突起体２４，２６が、図６Ｂに示すように外側のパイプ４，６に設けられた止め穴２８，３０に挿入し、内側のパイプ６，８が外側のパイプ４，６にロックされるように構成されている。
【００１６】
このロック状態は、内側のパイプ６，８と外側のパイプ４，６との間に手操作によって縮小方向に強く加圧することで解除されるように構成されている。この解除は突起体２４，２６の先端が曲面を形成し、この曲面が止め穴２８，３０に嵌合する構成により可能となっている。即ち互いに嵌合するパイプに強い縮小方向の圧力が作用すると、突起体２４，２６の曲面が止め穴２８，３０の縁に加圧され、突起体２４，２６に軸方向に圧力が作用し、この圧力によって、突起体２４，２６はばね力に抗して引っ込み、止め穴２８，３０から外れ、これにより一対のパイプの縮小方向のロックの解除が実現する。
【００１７】
一方、突起体２４，２６が、止め穴２８，３０に挿入されたロック状態において、突起体２４，２６の円柱状の軸部はガイド部材１０，１２のスリット１４の閉塞端１４ａと接触するとともに、先端のわん曲部が止め穴２８，３０の縁部に当接する。この止め穴２８，３０とスリット１４の閉塞端１４ａとの位置が一致した構成により、内側のパイプ６，８と外側のパイプ４，６との間に手操作によってシャフトの伸長方向に強く加圧力が作用しても、スリット１４の閉塞端１４ａからは突起体２４，２６の円柱状の軸部に直角に圧力が作用するためこの圧力は突起体２４，２６を引っ込ませる方向に作用しない。またこの時、止め穴２８，３０の縁部からは突起体２４，２６を引っ込ませる方向の圧力が作用しない。そのため、シャフト２にロック状態から更に伸長方向に強く加圧力が作用してもパイプ４，６，８の結合が外れることがない。
【００１８】
上記した構成において、シャフト２の組立時、パイプ４，６，８は、互いに入れ子式にスライド自在に嵌挿される。該状態において、第１のパイプ４と第２のパイプ６は、第２のパイプ６から突出する突起体２４が第１のパイプ４に固定されたガイド部材１０のスリット１４のガイド縁部Ｇ１，Ｇ２にスライド自在に嵌合しているため、ガイド縁部Ｇ１，Ｇ２に沿って互いに長手方向にのみスライド可能であり、第１のパイプ４に対して第２のパイプ６が相対回転する方向の移動が突起体２４と、スリット１４のガイド縁部Ｇ１，Ｇ２との嵌合構造によって阻止される。
【００１９】
第２のパイプ６と第３のパイプ８間の関係も上記第１のパイプ４と第２のパイプ６との関係と同様であり、互いに長手方向のスライド移動が可能であり、相対回転方向の移動が外側のパイプ６に固定されたガイド部材１２のスリット１４と、これに嵌合する内側のパイプ８の突起体２６によって阻止される。シャフト２を伸長し、外側のパイプ４，６のガイド部材１０，１２のスリット１４の閉塞端１４ａに内側のパイプ６，８から突出する突起体２４，２６が係止されたとき、丁度ばね材２０，２２により突出方向に付勢された突起体２４，２６が、外側のパイプ４，６の止め穴２８，３０に嵌合する。これにより、シャフト２の所定の伸長状態において内側のパイプ６，８が対応する外側のパイプ４，６にロックされ、シャフト２の各パイプの結合が外れることがなく、またこの伸長状態に保持される。
【００２０】
本実施形態では、突起体２４，２６と止め穴２８，３０とがシャフトのロックとストッパー機構を構成するので別途にロック機構及びストッパーを設ける必要がない。
尚、本発明の実施に際しては、ガイド部材１０，１２をパイプ４，６に固定する構成は、圧着、接着その他種々の固定手段を採用することができる。また、ガイド部材１０，１２は、細長のわん曲板状部材に限定されるものではなく、ステンレスなどからなる筒体を用いることができ、またスリットも複数設けるようにしても良い。
又、突起体２４，２６は、ばね材２０に取り付ける構成に限定されるものではなく、パイプ６，８に直接固定又は、一体的に設ける構成としても良い。
【符号の説明】
【００２１】
２      シャフト
４      第１パイプ
６      第２パイプ
８      第３パイプ
１０    ガイド部材
１２    ガイド部材
１４    スリット
１４ａ  閉塞端
１６    穴
１８    穴
２０    ばね材
２２    ばね材
２４    突起体
２６    突起体
２８    止め穴
３０    止め穴
【要約】
【課題】  量産するのに適した、外観にスライド用ガイドが現れないようにした多段式の折り畳み式洋傘用伸縮自在シャフトを提供する。
【解決手段】複数のパイプを入れ子式にスライド自在に嵌挿し、複数のパイプの中、シャフトの最も内側のパイプを除いた各パイプの内径部に直線方向に延びるスリットを有するガイド部材を固定配置する。スリットにシャフトの長手方向に延びる互いに平行なガイド縁部を形成する。複数のパイプの中、シャフトの最も外側のパイプを除いた各パイプの後端部側に突起体を設ける。突起体を各パイプの外側のパイプの内径部に固定配置したガイド部材のスリットにスライド自在に嵌合させ、外側と内側のパイプの相対回転を阻止する。ガイド部材を細長い板状の部材により構成し、該板状の部材にその長手方向に沿って細長状のスリットを形成し、該スリットの互いに平行な縁部を突起体を直線方向案内するとともに突起体の回転方向の移動を阻止するガイド面とする。
【選択図】  図６【図１】
0005575296.tif 000002
【図２】
0005575296.tif 000003
【図３】
0005575296.tif 000004
【図４】
0005575296.tif 000005
【図５】
0005575296.tif 000006
【図６】
0005575296.tif 000007
【図７】
0005575296.tif 000008
【図８】
0005575296.tif 000009